(57)【要約】【課題】設定作業の煩雑さを解消する設備機器制御装置を提供することにある。【解決手段】本発明の設備機器制御装置１０は、制御レベル記憶領域１４ｄと、制御レベル受付部１５ａと、制御指令決定部１５ｅとを備える。制御レベル記憶領域は、制御レベルを記憶する。制御レベルは、一の空間の複数のゾーンにそれぞれ設置された一または複数の設備機器をゾーン毎に制御するためのレベルである。制御レベル受付部は、ユーザの所望する制御レベルを受け付ける。制御指令決定部は、制御レベル受付部によって受け付けられた制御レベルに基づいて、各ゾーンの一または複数の設備機器に対する制御指令を決定する。【選択図】図８
2011106698.tif 000002
【特許請求の範囲】
【請求項１】
一の空間の複数のゾーン（ＺＮ１，ＺＮ２）にそれぞれ設置された一または複数の設備機器（５０ａ，５０ｂ）をゾーン毎に制御するための制御レベル、を記憶する制御レベル記憶領域（１４ｄ）と、
ユーザの所望する前記制御レベルを受け付ける制御レベル受付部（１５ａ）と、
前記制御レベル受付部によって受け付けられた前記制御レベルに基づいて、前記各ゾーンの前記一または複数の設備機器に対する制御指令を決定する制御指令決定部（１５ｅ）と
を備える、
設備機器制御装置（１０）。
【請求項２】
設備機器の種類を含む機器情報を記憶する機器情報記憶領域（１４ａ）と
前記設備機器が配置される前記各ゾーンを記憶する配置情報記憶領域（１４ｂ）と、
をさらに備え、
前記制御指令決定部は、前記制御レベルと前記設備機器の種類とに基づいて前記制御指令を決定する、
請求項１に記載の設備機器制御装置。
【請求項３】
前記設備機器の種類に応じたコマンドを、前記制御レベルに関連付けて記憶するコマンド記憶領域（１４ｅ）をさらに備え、
前記制御指令決定部は、前記制御レベル受付部によって受け付けられた前記制御レベルに応じて、前記制御指令である前記コマンドを選択する、
請求項２に記載の設備機器制御装置。
【請求項４】
前記複数のゾーンは、第１のゾーンおよび第２のゾーンを含み、
前記制御レベル記憶領域は、前記第１のゾーンに対する前記制御レベルである複数の第１ゾーン制御レベルと、前記第２のゾーンに対する前記制御レベルである複数の第２ゾーン制御レベルとを記憶する、
請求項１から３のいずれかに記載の設備機器制御装置。
【請求項５】
前記制御レベルには、前記設備機器の負荷を減少させる省エネルギー制御レベルと、前記設備機器の負荷を増加させる増エネルギー制御レベルとが含まれる、
請求項３または４に記載の設備機器制御装置。
【請求項６】
所定期間において前記設備機器に実行させる前記制御レベルの実行スケジュールを記憶する実行スケジュール記憶領域（１４ｆ）をさらに備え、
前記制御指令決定部は、前記スケジュール記憶領域に記憶された前記実行スケジュールに基づいて、前記コマンドを選択する、
請求項３から５のいずれかに記載の設備機器制御装置。
【請求項７】
前記設備機器の消費電力量に関する情報である消費電力量情報を取得する消費電力量情報取得部（１５ｃ）と、
前記設備機器の消費電力の目標値を記憶する目標値記憶領域（１４ｈ）と、
前記消費情報取得部によって取得された前記消費電力量情報と、前記目標値とに基づいて、前記制御レベルの適正を判定する適正判定部（１５ｄ）と
をさらに備え、
前記制御指令決定部は、前記適正判定部による判定結果に応じて、前記コマンドを選択する、
請求項３から６のいずれかに記載の設備機器制御装置。
【請求項８】
デマンドコントローラから送信される電力抑制信号を取得する電力抑制信号取得部（１５ｂ）をさらに備え、
前記制御指令決定部は、さらに前記電力抑制信号に応じて、前記コマンドを選択する、
請求項７に記載の設備機器制御装置。
【発明の詳細な説明】
【技術分野】
【０００１】
本発明は、設備機器制御装置に関する。
【背景技術】
【０００２】
従来、一の空間を機能に応じた複数のゾーンに区分けして使用する場合、各ゾーンに設備機器を設置し、ゾーン毎に設備機器の制御を行っている。例えば、特許文献１（特開２００７−１６２９８２号公報）では、外食店舗内の複数のゾーン（例えば、厨房エリア、客席エリア等）にそれぞれ設備機器を設置し、各ゾーンに対してそれぞれ制御を行っている。
【発明の概要】
【発明が解決しようとする課題】
【０００３】
ところで、近年、消費電力の削減が一層求められている。そのため、空間に設置された全ての設備機器について、必要に応じた省エネ制御を実行することが好ましい。しかし、各ゾーンの機能によって設備機器に実行させるべき制御内容は異なるため、各ゾーンの設備機器に適した設定に変更する作業は煩雑になる。
【０００４】
そこで、本発明の課題は、設定作業の煩雑さを解消する設備機器制御装置を提供することにある。
【課題を解決するための手段】
【０００５】
第１発明に係る設備機器制御装置は、制御レベル記憶領域と、制御レベル受付部と、制御指令決定部とを備える。制御レベル記憶領域は、制御レベルを記憶する。制御レベルは、一の空間の複数のゾーンにそれぞれ設置された一または複数の設備機器をゾーン毎に制御するためのレベルである。制御レベル受付部は、ユーザの所望する制御レベルを受け付ける。制御指令決定部は、制御レベル受付部によって受け付けられた制御レベルに基づいて、各ゾーンの一または複数の設備機器に対する制御指令を決定する。
【０００６】
本発明に係る設備機器制御装置では、設備機器をゾーン毎に制御するための制御レベルが記憶される。ユーザの所望する制御レベルが受け付けられると、当該制御レベルに基づいて、設備機器に送られる制御指令が決定される。制御レベルには、例えば、設備機器の負荷を増加または減少させるレベルが含まれる。また、設備機器の負荷を増加させるレベルには、設備機器の運転が含まれ、設備機器の負荷を減少させるレベルには、設備機器の停止が含まれる。
【０００７】
これにより、設定作業の煩雑さを解消することができる。
【０００８】
第２発明に係る設備機器制御装置は、第１発明に係る設備機器制御装置であって、機器情報記憶領域と、配置情報記憶領域とをさらに備える。機器情報記憶領域は、設備機器の種類を含む機器情報を記憶する。配置情報記憶領域は、設備機器が配置されたゾーンを記憶する。制御指令決定部は、制御レベルと設備機器の種類とに基づいて制御指令を決定する。
【０００９】
本発明に係る設備機器制御装置では、各ゾーンに設置された設備機器が記憶される。また、各ゾーンに設置された設備機器の種類が記憶される。ユーザの所望する制御レベルが受け付けられると、制御レベルと、設備機器の種類とに基づいた制御指令が決定される。
【００１０】
これにより、設備機器の種類を意識することなく、各ゾーンに適した設定に変更することができる。
【００１１】
第３発明に係る設備機器制御装置は、第２発明に係る設備機器制御装置であって、コマンド記憶領域をさらに備える。コマンド記憶領域は、設備機器の種類に応じたコマンドを、制御レベルに関連付けて記憶する。制御指令決定部は、制御レベル受付部によって受け付けられた制御レベルに応じて、制御指令であるコマンドを選択する。
【００１２】
本発明に係る設備機器制御装置では、設備機器の種類に応じたコマンドが記憶される。コマンドは、制御レベルに関連付けて記憶されている。ユーザの所望する制御レベルに基づいて、設備機器の種類に応じたコマンドが選択される。当該コマンドが各設備機器に送られることにより、設備機器が制御される。
【００１３】
これにより、複数種類の設備機器を容易に制御することができる。
【００１４】
第４発明に係る設備機器制御装置は、第１発明から第３発明のいずれかに係る設備機器制御装置であって、複数のゾーンは、第１のゾーンおよび第２のゾーンを含む。制御レベル記憶領域は、複数の第１ゾーン制御レベルと、複数の第２ゾーン制御レベルとを複数記憶する。複数の第１ゾーン制御レベルは、第１のゾーンに対する制御レベルである。複数の第２のゾーンに対する制御レベルは、第２のゾーンに対する制御レベルである。
【００１５】
本発明に係る設備機器制御装置では、第１のゾーンに設置された設備機器を制御するための複数の第１ゾーン制御レベルと、第２のゾーンに設置された設備機器を制御するための複数の第２ゾーン制御レベルとが記憶される。
【００１６】
これにより、ゾーン毎に適切な制御レベルを設定することができる。
【００１７】
第５発明に係る設備機器制御装置は、第３発明または第４発明に係る設備機器制御装置であって、制御レベルには、設備機器の負荷を減少させる省エネルギー制御レベルと、設備機器の負荷を増加させる増エネルギー制御レベルとが含まれる。
【００１８】
本発明に係る設備機器制御装置では、設備機器の負荷を減少させるための省エネルギー制御レベルと設備機器の負荷を増加させるための増エネルギー制御レベルとが、制御レベルとして記憶されている。
【００１９】
これにより、空調対象空間で消費される電力量を調整することができる。
【００２０】
第６発明に係る設備機器制御装置は、第３発明から第５発明のいずれかに係る設備機器制御装置であって、実行スケジュール記憶領域をさらに備える。実行スケジュール記憶領域は、実行スケジュールを記憶する。実行スケジュールは、所定期間において設備機器に実行させる制御レベルについてのスケジュールである。また、制御指令決定部は、スケジュール記憶領域に記憶された実行スケジュールに基づいて、コマンドを選択する。
【００２１】
これにより、所定期間において消費される電力量を調整することができる。
【００２２】
第７発明に係る設備機器制御装置は、第３発明から第６発明のいずれかに係る設備機器制御装置であって、消費電力量情報取得部と、目標値記憶領域と、適正判定部とをさらに備える。消費電力量情報取得部は、消費電力量情報を取得する。消費電力量情報とは、設備機器の消費電力量に関する情報である。目標値記憶領域は、設備機器の消費電力の目標値を記憶する。適正判定部は、消費情報取得部によって取得された消費電力量情報と、目標値とに基づいて、制御レベルの適正を判定する。制御指令決定部は、適正判定部による判定結果に応じて、コマンドを選択する。
【００２３】
本発明に係る設備機器制御装置では、設備機器が消費した電力に関する情報である消費電力量情報が取得される。消費電力量情報と目標値とに基づいて現在設定されている制御レベルの適正が判定される。判定された結果に応じて各設備機器に送信されるコマンドが選択される。
【００２４】
これにより、目標値に基づいた適切な制御を自動的に行うことができる。
【００２５】
第８発明に係る設備機器制御装置は、第７発明に係る設備機器制御装置であって、電力抑制信号取得部をさらに備える。電力抑制信号取得部は、デマンドコントローラから送信される電力抑制信号を取得する。制御指令決定部は、さらに電力抑制信号に応じて、コマンドを選択する。
【００２６】
本発明に係る設備機器制御装置では、さらに電力抑制信号を考慮してコマンドが選択される。
【００２７】
これにより、デマンド制御に反することなく、ユーザが所望する空調制御を行うことができる。
【発明の効果】
【００２８】
第１発明に係る設備機器制御装置では、設定作業の煩雑さを解消することができる。
【００２９】
第２発明に係る設備機器制御装置では、設備機器の種類を意識することなく、各ゾーンに適した設定に変更することができる。
【００３０】
第３発明に係る設備機器制御装置では、複数種類の設備機器を容易に制御することができる。
【００３１】
第４発明に係る設備機器制御装置では、ゾーン毎に適切な制御レベルを設定することができる。
【００３２】
第５発明に係る設備機器制御装置では、空間で消費される電力量を調整することができる。
【００３３】
第６発明に係る設備機器制御装置では、所定期間において消費される電力量を調整することができる。
【００３４】
第７発明に係る設備機器制御装置では、目標値に基づいた適切な制御を自動的に行うことができる。
【００３５】
第８発明に係る設備機器制御装置では、デマンド制御に反することなく、ユーザが所望する空調制御を行うことができる。
【図面の簡単な説明】
【００３６】
【図１】店舗管理システムの全体構成を示す図である。
【図２Ａ】遠隔管理サーバの概略構成図である。
【図２Ｂ】管理端末の概略構成図である。
【図２Ｃ】設備機器管理システムの全体構成を示す図である。
【図３】警告信号が示す警告レベルを説明するための図である。
【図４】店舗内のゾーンおよびゾーンに設置された空調機（室内機）を示す図である。
【図５】コントローラの概略構成図である。
【図６】機器情報記憶領域に記憶されたデータの例を示す図である。
【図７】配置情報記憶領域に記憶されたデータの例を示す図である。
【図８】省エネレベル記憶領域に記憶されたデータの例を示す図である。
【図９】コマンド記憶領域に記憶されたデータの例を示す図である。
【図１０】コマンドセットの内容の例を示す図である。
【図１１】実行スケジュール記憶領域に記憶された第２スケジュールの例を示す図である。
【図１２】運用ルール記憶領域に記憶されたデータの例を示す図である。
【図１３】警告対応レベル記憶領域に記憶されたデータの例を示す図である。
【図１４】コントローラにおける処理の流れを示す図である。
【発明を実施するための形態】
【００３７】
以下、図面を参照して、本発明に係る設備機器制御装置（以下、コントローラ）１０について説明する。
【００３８】
（１）店舗管理システム
まず、本発明に係るコントローラ１０を用いた店舗管理システム１００について説明する（図１参照）。図１には、複数の店舗１ａ，１ｂ，・・・、本部３、および遠隔管理センター２が示されている。店舗管理システム１００では、本部３による店舗１ａ，１ｂ，・・・の管理を、遠隔管理センター２が支援する。具体的に、店舗１ａ，１ｂ，・・・は全国に点在する外食店舗である。本部３は、当該店舗１ａ，１ｂ，・・・を統括管理する機能を有する。遠隔管理センター２は、店舗１ａ，１ｂ，・・・の遠隔に配置され、本部３による店舗１ａ，１ｂ，・・・の統括管理を支援する。
【００３９】
各店舗１ａ，１ｂ，・・・には、主として、設備機器としての空調機５０と、コントローラ１０とが設置されている。図１には、各店舗１ａ，１ｂ，・・・内に設置された一つの空調機５０が描かれているが、実際には、複数の空調機（室内機）が設置されているものとする。本部３には、管理端末３０が設置されている。遠隔管理センター２には、遠隔管理サーバ２０が設置されている。遠隔管理サーバ２０は、インターネット６０ａを介して各店舗１ａ，１ｂ，・・・のコントローラ１０，１０，・・・および管理端末３０と接続されている。
【００４０】
なお、店舗管理システム１００には、複数の設備機器管理システム１０１（図２Ａ参照）が含まれる。設備機器管理システム１０１は、各店舗１ａ，１ｂ，・・・に設置された空調機５０およびコントローラ１０からなるシステムである。店舗管理システム１００は、各店舗１ａ，１ｂ，・・・内で用いられる複数の設備機器管理システム１０１を包括するシステムとして機能する。設備機器管理システム１０１については、追って詳細に説明する。
【００４１】
（２）遠隔管理サーバ
図２Ａに示すように、遠隔管理サーバ２０は、主として通信部２１、表示部２２、入力部２３、記憶部２４、および制御部２５から構成されるサーバコンピュータである。遠隔管理サーバ２０は、コントローラ１０，１０，・・・経由で、各店舗１ａ，１ｂ，・・・に設置された空調機５０，５０，・・・を監視および制御する機能を有している。
【００４２】
遠隔管理サーバ２０は、Ｗｅｂサーバ機能を有している。遠隔管理サーバ２０は、後述の管理端末３０に店舗１ａ，１ｂ，・・・の各種管理画面（例えば、各店舗１ａ，１ｂ，・・・に設置された空調機５０，５０，・・・の運転状況、消費電力値等を示す画面）を提供する。
【００４３】
〔通信部〕
通信部２１は、遠隔管理サーバ２０をインターネット６０ａに接続可能にするネットワークインターフェースである。
【００４４】
〔表示部〕
表示部２２は、主としてディスプレイから構成されている。表示部２２には、後述する記憶部２４に記憶される各種情報を表示する管理画面が表示される。
【００４５】
〔入力部〕
入力部２３は、主として操作ボタンおよび上記ディスプレイを覆うタッチパネルから構成されている。
【００４６】
〔記憶部〕
記憶部２４は、主として、ハードディスクから構成されている。記憶部２４は、後述する制御部２５が読み出して実行可能なプログラムが記憶されている。また、記憶部２４は、主として、店舗情報記憶領域２４ａ、運用ルール記憶領域２４ｂ、消費電力値記憶領域２４ｃ、および目標値記憶領域２４ｄを有する。
【００４７】
ａ）店舗情報記憶領域
店舗情報記憶領域２４ａには、各店舗１ａ，１ｂ，・・・に関する情報（店舗情報）が記憶されている。店舗情報には、本部３が管理する店舗（店舗数、店舗名等）、店舗内に設置された空調機５０ａ，５０ｂ，・・・（空調機の数、空調機の機種、空調機のＩＤ等）、および各店舗１ａ，１ｂ，・・・の空調機の運転状態等が含まれる。
【００４８】
ｂ）運用ルール記憶領域
運用ルール記憶領域２４ｂには、各店舗１ａ，１ｂ，・・・に対して送られる運用ルールが記憶されている（図１２参照）。運用ルールは、店舗１ａ，１ｂ，・・・毎に本部３が設定したものであり、空調機５０，５０，５０・・・の制御内容の基本的なルールである。具体的に、運用ルールでは、１日をいくつかの時間帯に分け、各時間帯の空調機５０，５０，５０・・・の運転パターンを、各店舗のゾーン毎に規定している。運用ルール記憶領域２４ｂに記憶される運用ルールは、後述の管理端末３０から送られたものであっても、本部３の指示に従って遠隔管理サーバ２０で入力されたものであってもよい。
【００４９】
ｃ）消費電力値記憶領域
消費電力値記憶領域２４ｃには、コントローラ１０，１０，・・・から送られる消費電力値を記憶する。詳細には、店舗１ａ，１ｂ，・・・毎の消費電力量と、全店舗の消費電力量とが識別可能に記憶されている。なお、店舗１ａ，１ｂ，・・・毎の消費電力量は、上述の店舗情報記憶領域２４ａに記憶されている店舗情報と関連付けて記憶される。
【００５０】
ｄ）目標値記憶領域
目標値記憶領域２４ｄは、各店舗１ａ，１ｂ，・・・の消費電力量の目標値を記憶する。当該目標値は、各店舗１ａ，１ｂ，・・・の規模に応じて設定されたものである。目標値記憶領域２４ｄに記憶される目標値もまた、後述の管理端末３０から送られたものであっても、本部３の指示に従って遠隔管理サーバ２０で入力されたものであってもよい。
【００５１】
〔制御部〕
制御部２５は、主として、ＣＰＵ、ＲＯＭおよびＲＡＭから構成されている。制御部２５は、記憶部２４に記憶されているプログラムを読み出して実行する。また、制御部２５は、コントローラ１０，１０，・・・から送られる空調機５０，５０，・・・の運転状態等に関する情報（例えば、運転／停止、正常／異常等の情報）を、通信部２１を介して取得し、上述の店舗情報記憶領域２４ａに記憶する。また、制御部２５は、コントローラ１０，１０，・・・から送られる空調機５０，５０，・・・の消費電力値を取得し、上記消費電力値記憶領域２４ｃに記憶する。
【００５２】
また、制御部２５は、運用ルール記憶領域２４ｂに記憶された運用ルールおよび目標値記憶領域２４ｄに記憶された目標値を、通信部２１を介してコントローラ１０，１０，・・・に送信する。
【００５３】
（３）管理端末
図２Ｂに示すように、管理端末３０は、主として、通信部３１、表示部３２、入力部３３、記憶部３４、および制御部３５から構成されている。管理端末３０には、Ｗｅｂクライアント機能を有するＷｅｂブラウザがインストールされている。
【００５４】
本部３における担当者は、インターネット６０ａを介して遠隔管理サーバ２０から情報を取得し、店舗１ａ，１ｂ，・・・の情報を管理するための管理画面（空調機の運転／停止の状態、正常／異常の状態、消費電力量を把握可能な管理画面を含む）をＷｅｂブラウザ上に表示させる。これにより、本部３において、店舗１ａ，１ｂ，・・・の管理を行う。
【００５５】
〔通信部〕
通信部３１は、管理端末３０をインターネット６０ａに接続可能するネットワークインターフェースである。
【００５６】
〔表示部〕
表示部３２は、主として、ディスプレイから構成されている。表示部３２には、上記管理画面が表示される。
【００５７】
〔入力部〕
入力部３３は、主として、マウスおよびキーボードから構成されている。
【００５８】
〔記憶部〕
記憶部３４は、主として、ハードディスクから構成されている。
【００５９】
〔制御部〕
制御部３５は、主として、ＣＰＵ、ＲＯＭおよびＲＡＭから構成されている。
【００６０】
（４）設備機器管理システム
図２Ｃは、各店舗１ａ，１ｂ，・・・内で用いられる設備機器管理システム１０１を示す。ここでは、店舗１ａを挙げて説明するが、その他の店舗１ｂ，・・・についても同様の構成であるものとする。
【００６１】
設備機器管理システム１０１は、主として、複数の空調機５０ａ，５０ｂ，・・・と、複数の空調機５０ａ，５０ｂ，・・・を制御するためのコントローラ１０とからなる。複数の空調機５０ａ，５０ｂ，・・・とコントローラ１０とは、専用の通信線６０ｂによって接続されている。設備機器管理システム１０１は、さらに、空調機５０ａ，５０ｂ，・・・に電力を供給する電源７２と、電源７２から空調機５０ａ，５０ｂ，・・・に供給される電力量を計測する電力量計７１とを有する。電力量計７１には、デマンドコントローラ８０が接続されている。デマンドコントローラ８０は、コントローラ１０にも接続されている。
【００６２】
以下、デマンドコントローラ８０、空調機５０ａ，５０ｂ，・・・、およびコントローラ１０について説明する。
【００６３】
（４−１）デマンドコントローラ
デマンドコントローラ８０は、コントローラ１０に対し、所定期間における消費電力量が所定値を超えないように段階的に警告信号を送信する。具体的に、デマンドコントローラ８０は、電力量計７１により計測される値の積算値と所定値とを所定時間間隔で比較し、比較結果に応じた警告レベルを示す警告信号を送信する。所定値とは、電力会社との契約によって定められた所定時間における消費電力量の利用可能な最大値である。警告信号が示す警告レベルは、警告レベル１〜３の段階が含まれる（図３参照）。警告レベル１の警告信号は、積算値が所定値の３分の１に達した場合に送信される警告信号である。警告レベル２の警告信号は、積算値が所定値の３分の２に達した場合に送信される警告信号である。警告レベル３の警告信号は、積算値が所定値に達した場合に送信される警告信号である。
【００６４】
（４−２）空調機
空調機５０ａ，５０ｂ，・・・は、室内機および室外機からなり、図示しない圧縮機やファン等を有する。空調機５０ａ，５０ｂ，・・・は、後述するコントローラ１０から送られる制御指令に基づき、圧縮機の周波数、ファンの回転数、弁の開度等を変動させることで空調対象空間ＯＡの空調環境を調整する。空調機５０ａ，５０ｂ，・・・には、複数種類の空調機が含まれる。本実施形態では、機種Ａの空調機５０ａと機種Ｂの空調機５０ｂとを用いた例を挙げる。
【００６５】
空調機５０ａ（機種Ａ）は、能力制御により制御される空調機である。能力制御とは、空調能力を変化させる制御である。具体的に、空調機５０ａは、空調能力１００％中、何％の能力で制御するかを設定することにより制御される。能力制御は、圧縮機の周波数、ファンの回転数、弁の開度等を変動させることにより実現される。
【００６６】
空調機５０ｂ（機種Ｂ）は、具体的な温度を指定することにより、圧縮機の周波数、ファンの回転数、弁の開度等が制御される空調機である。また、空調機５０ｂは、現在の温度から何度シフト（上昇または下降）させるかを設定することにより現在の設定を変更する。
【００６７】
空調機５０ａ，５０ｂ，・・・は、空調対象空間ＯＡに区分けされた複数のゾーンＺＮ１，ＺＮ２に配置されている（図４参照）。図４では、空調対象空間ＯＡが厨房ゾーンＺＮ１と客席ゾーンＺＮ２とに区分けされており、両方のゾーンＺＮ１，ＺＮ２に、空調機５０ａ（機種Ａ）および空調機５０ｂ（機種Ｂ）がそれぞれ設置されている。
【００６８】
（４−３）コントローラ
次に、図５を参照しつつ、コントローラ１０について説明する。コントローラ１０は、店舗１ａの空調管理者またはユーザによって、空調機５０ａ，５０ｂ，・・・の制御および監視を行うために用いられる。
【００６９】
コントローラ１０は、主として、通信部１１、表示部１２、入力部１３、記憶部１４、および制御部１５から構成されている。
【００７０】
〔通信部〕
通信部１１は、コントローラ１０を空調機５０ａ，５０ｂ，・・・およびインターネット６０ａに接続可能にするネットワークインターフェースである。
【００７１】
〔表示部〕
表示部１２は、主として、ディスプレイから構成されている。表示部１２には、空調機５０ａ，５０ｂ，・・・の運転状態、設定温度、各ゾーンＺＮ１，ＺＮ２の室温、及び所定期間における消費電力量の積算値等を示す画面が表示される。
【００７２】
〔入力部〕
入力部１３は、主として、操作ボタンおよび上記ディスプレイを覆うタッチパネルから構成されている。入力部１３は、また、後述する複数の省エネレベルのうちいずれかの省エネレベルを受け付けるための構成を有している。
【００７３】
〔記憶部〕
記憶部１４は、主としてハードディスクから構成されている。記憶部１４には、後述する制御部１５が読み出して実行可能なプログラムが記憶されている。また、記憶部１４は、主として、機器情報記憶領域１４ａ、ゾーン情報記憶領域１４ｂ、配置情報記憶領域１４ｃ、省エネレベル記憶領域１４ｄ、コマンド記憶領域１４ｅ、実行スケジュール記憶領域１４ｆ、運用ルール記憶領域１４ｇ、目標値記憶領域１４ｈ、警告対応レベル記憶領域１４ｉ、および消費電力値記憶領域１４ｊを有する。
【００７４】
ａ）機器情報記憶領域
機器情報記憶領域１４ａは、店舗１ａに設置された空調機５０ａ，５０ｂ，・・・の機器情報が記憶されている。ここで機器情報には、後述の運転状態取得部１５ｇによって取得された空調機５０ａ，５０ｂ，・・・の運転状態に関する情報（運転／停止、正常／異常、設定温度、吸込み温度等）が記憶されている。
【００７５】
さらに、機器情報記憶領域１４ａには、空調機５０ａ，５０ｂ，・・・の種類と、各種類に属する室内機の機器ＩＤとが関連付けて記憶されている（図６参照）。店舗１ａには、機種Ａの空調機５０ａおよび機種Ｂの空調機５０ｂが設置されている。具体的には、機種Ａの空調機５０ａには、室内機ＩＤ００１，室内機ＩＤ００２，室内機ＩＤ００３を有する室内機が含まれている。また、機種Ｂの空調機５０ｂには、室内機ＩＤ１０１，室内機ＩＤ１０２，室内機ＩＤ１０３を有する室内機が含まれている。
【００７６】
ｂ）ゾーン情報記憶領域
ゾーン情報記憶領域１４ｂには、店舗１ａの空調対象空間ＯＡに区分けされたゾーンＺＮ１，ＺＮ２（図４参照）に関する情報が記憶されている。ゾーンＺＮ１，ＺＮ２は、空間の機能によって区分けされた領域である。図４の室内機には、空調機の機種に対応する符号（５０ａ，５０ｂ）を付している。店舗１ａには、図７の符号７０１で示すように、客席および厨房の２つのゾーンが設けられている。
【００７７】
ｃ）配置情報記憶領域
配置情報記憶領域１４ｃは、図７に示すように、各ゾーンＺＮ１，ＺＮ２に配置された空調機５０ａ，５０ｂに関する情報が記憶されている。具体的には、ゾーン名と、各ゾーンＺＮ１，ＺＮ２に配置された室内機の室内機ＩＤとが関連付けて記憶されている。本実施形態では、客席に室内機ＩＤ００２，室内機ＩＤ００３，室内機ＩＤ１０２，および室内機ＩＤ１０３の四台の室内機が設置され、厨房には、室内機ＩＤ００１および室内機ＩＤ１０１の二台の室内機が設置されている。
【００７８】
ｄ）省エネレベル記憶領域
省エネレベル記憶領域１４ｄは、省エネルギーのレベル（省エネレベル）（制御レベルに相当）と当該省エネレベルの制御番号（制御１〜５）を記憶させる領域である。図８に示すように、省エネレベル記憶領域１４ｄには、各ゾーンＺＮ１，ＺＮ２に対する省エネレベル−１から省エネレベル５の制御番号が記憶されている（第１ゾーン制御レベル、第２ゾーン制御レベルに相当）。省エネレベルの制御番号は、各レベルについて所定の省エネ量が得られるように、後述するコマンドセットと関連付けられている。省エネ量は、店舗１ａ内のゾーンの数、ゾーンの広さ、ゾーンに設置されている空調機（室内機）の数および種類等に基づいて算出される。なお、省エネレベルは、現在の設定に対する省エネの程度を示し、省エネレベルに応じて、得られる省エネ量が変化する。
【００７９】
省エネレベル０は、現在の設定を変更しないレベルである。客席および厨房についての省エネレベル０には、「なし」が記憶されている。また、省エネレベル１〜５は、省エネレベルが高くなるにつれて、現在の設定と比較して、負荷の小さい設定に変更する制御番号が関連付けて記憶されている。また、省エネレベル−１は、現在の設定と比較して、負荷の大きい設定に変更する制御番号が関連付けて記憶されている。省エネレベル記憶領域１４ｄに記憶されている制御番号は、上述したように、後述のコマンド記憶領域１４ｅに記憶されているコマンドセット０１〜１０に関連付けられている。制御番号に関連付けられるコマンドに、具体的な制御の内容が記述される。
【００８０】
なお、省エネレベル記憶領域１４ｄに記憶されるデータは、各店舗１ａ，１ｂ，・・・で適宜変更することができる設計になっている。
【００８１】
ｅ）コマンド記憶領域
コマンド記憶領域１４ｅには、上述の省エネレベル記憶領域１４ｄの制御番号に関連付けて記憶されたコマンドセット０１〜１０が記憶されている（図９参照）。コマンドセット０１〜１０は、空調機の種類に応じて記憶されている。具体的には、機種Ａの空調機５０ａおよび機種Ｂの空調機５０ｂとでは、同一の制御番号（制御１〜５）に対して、異なるコマンドセットが関連付けられている。より具体的には、制御１に対して、機種Ａの空調機５０ａには、機種Ａの空調機５０ａによって認識可能なコマンドセット０１が関連付けられており、機種Ｂの空調機５０ｂには、機種Ｂの空調機５０ｂによって認識可能なコマンドセット０６が関連付けられている。図１０にコマンドセット０１〜１０の内容の例を示す。コマンドセット０１〜０５では、空調機５０ａの空調能力１００％のうち、何％の能力で制御するかを設定している。一方、コマンドセット０６〜１０は、シフト温度または停止を設定している。ここで、シフト温度は、現在の設定温度を変動させる程度を示す。
【００８２】
ｆ）実行スケジュール記憶領域
実行スケジュール記憶領域１４ｆは、上述した省エネレベルに関する実行スケジュールを記憶する領域である。実行スケジュールは、ユーザによって選択された省エネレベルによって決定されるスケジュールであり、実行スケジュールには、空調機５０ａ，５０ｂ，・・・に即時実行させる省エネレベルである第１スケジュールと、所定の時間帯に対して設定された省エネレベルである第２スケジュールとが含まれる。第２スケジュールとしては、図１１に示すように、所定の時間帯と、当該所定の時間帯に実行する省エネレベルとが関連付けて記憶される。
【００８３】
実行スケジュール記憶領域１４ｆに第１スケジュールとしての省エネレベルが記憶されると、後述の制御指令送信部１５ｆによって、当該省エネレベルに応じた制御指令が即時に空調機５０ａ，５０ｂ，・・・に送られる。また、実行スケジュール記憶領域１４ｆに第２スケジュールとしての省エネレベルが記憶されると、記憶された所定の時間帯に当該省エネレベルに応じて空調機５０ａ，５０ｂ，・・・が制御されるように、後述の制御指令送信部１５ｆによって制御指令が送られる。
【００８４】
ｇ）運用ルール記憶領域
運用ルール記憶領域１４ｇは、遠隔管理サーバ２０から送信される運用ルール（図１２参照）を記憶する領域である。運用ルールは、本部３が設定した基本的なルールである。したがって、開店時刻や閉店時刻は、店舗１ａ，１ｂ，・・・で設定可能になっている。各店舗１ａ，１ｂ，・・・の空調機５０ａ，５０ｂ，・・・は、基本的に、当該運用ルールで設定された内容に従って制御される。運用ルールでは、店舗１ａの空調対象空間ＯＡに区分けされたゾーンＺＮ１，ＺＮ２である客席および厨房と、当該ゾーンＺＮ１，ＺＮ２に対して設定した運転パターンおよび当該運転パターンを実行する時間帯とが設定されている。
【００８５】
ｈ）目標値記憶領域
目標値記憶領域１４ｈには、所定期間における消費電力の目標値が記憶されている。消費電力の目標値は、本部３が各店舗１ａ，１ｂ，・・・に対してそれぞれ設定した値である。
【００８６】
ｉ）警告対応レベル記憶領域
警告対応レベル記憶領域１４ｉには、上述のデマンドコントローラ８０から送信される警告信号の警告レベルの種類と、当該警告レベルの種類に応じて実行させる省エネレベルとが関連付けて記憶されている（図１３参照）。
【００８７】
ｊ）消費電力値記憶領域
消費電力値記憶領域１４ｊには、後述する消費電力値取得部１５ｃによって取得された消費電力値が記憶される。具体的には、上述の電力量計７１によって計測された、店舗１ａ内の空調機５０ａ，５０ｂ，・・・による消費電力量に関する値が記憶される。
【００８８】
〔制御部〕
制御部１５は、主として、ＣＰＵ、ＲＯＭおよびＲＡＭから構成されており、上述の記憶部１４に記憶されているプログラムを読み出して実行する。
【００８９】
制御部１５は、主として、省エネレベル受付部１５ａ、警告信号取得部１５ｂ，消費電力値取得部１５ｃ、適正判定部１５ｄ、制御指令決定部１５ｅ、および制御指令送信部１５ｆとして機能する。
【００９０】
ａ）省エネレベル受付部
省エネレベル受付部１５ａは、上述の入力部１３を介して店舗１ａの管理者またはユーザによって入力された省エネレベルに関する情報を受け付ける。ここで、省エネレベル受付部１５ａによって受け付けられる情報には、即時実施すべき制御についての省エネレベルと、所定の時間帯に実施すべき制御について省エネレベルとが含まれる。省エネレベル受付部１５ａによって受け付けられた省エネレベルのうち、即時実施すべき制御についての省エネレベルは、上述の実行スケジュール記憶領域１４ｆにおいて第１スケジュールとして記憶される。また、所定の時間帯に実施すべき制御について設定された省エネレベルは、上述の実行スケジュール記憶領域１４ｆにおいて第２スケジュールとして、当該所定の時間帯に関連付けて記憶される。
【００９１】
ｂ）警告信号取得部
警告信号取得部１５ｂは、デマンドコントローラ８０から送信される警告信号を取得する。
【００９２】
ｃ）消費電力値取得部
消費電力値取得部１５ｃは、上述の電力量計７１によって計測された電力値を所定の時間間隔で取得する。消費電力値取得部１５ｃによって取得した電力値は、上述した消費電力値記憶領域１４ｊに記憶される。
【００９３】
ｄ）適正判定部
適正判定部１５ｄは、消費電力値記憶領域１４ｊに記憶された消費電力値と、目標値記憶領域１４ｈに記憶された消費電力値の目標値とに基づいて、省エネレベルの適否を判定する。具体的には、適正判定部１５ｄは、所定期間における消費電力値の目標値と、当該所定期間に対応する実際の消費電力値の積算値とを定期的に比較して、積算値が目標値を超える場合には、現在の空調機５０ａ，５０ｂ，・・・に対する設定が適当ではないと判定する。
【００９４】
ｅ）制御指令決定部
制御指令決定部１５ｅは、空調機５０ａ，５０ｂ，・・・に送信する制御指令を決定する。具体的には、制御指令決定部１５ｅは、運用ルール、実行スケジュール、警告信号が示す警告レベル、および上記適正判定部１５ｄによる判定結果等に基づいて制御指令を決定する。
【００９５】
なお、制御指令決定部１５ｅは、警告信号、判定結果、実行スケジュール、運用ルールの順に優先させて制御指令を決定する。具体的には、次の通りである。
【００９６】
制御指令決定部１５ｅは、基本的に、運用ルールに基づいた制御指令を生成する。但し、実行スケジュール記憶領域１４ｆに実行スケジュールが記憶されている場合には、運用ルールよりも実行スケジュールを優先させる。すなわち、制御指令決定部１５ｅは、実行スケジュール記憶領域１４ｆに記憶された実行スケジュールに対応する制御内容を、コマンド記憶領域１４ｅから選択し、当該コマンドを制御指令として決定する。
【００９７】
また、適正判定部１５ｄによって、消費電力値が目標値を上回ると判定された場合、制御指令決定部１５ｅは、使用可能な電力値を自動計算する。その後、制御指令決定部１５ｅは、適正な省エネレベルを決定し、当該省エネレベルに基づいて制御指令を生成する。なお、適正判定部１５ｄによって、消費電力値が目標値を下回ると判定された場合、制御指令決定部１５ｅは、実行スケジュールまたは運用ルールに基づいて制御指令を生成する。
【００９８】
さらに、制御指令決定部１５ｅは、警告信号が示す警告レベルに基づいて制御指令を決定する。具体的には、デマンドコントローラ８０から警告信号が送信された場合、制御指令決定部１５ｅは、適正判定部１５ｄによる判定結果、実行スケジュール、および運用ルールに関わらず、警告対応レベル記憶領域１４ｉにおいて警告信号が示す警告レベルに対応付けられている省エネレベルに基づいて、制御指令を生成する。
【００９９】
ｆ）制御指令送信部
制御指令送信部１５ｆは、制御指令決定部１５ｅによって決定／生成された制御指令を、空調機５０ａ，５０ｂ，・・・に送信する。制御指令送信部１５ｆが送信した制御指令に基づいて、空調機５０ａ，５０ｂ，・・・は制御される。
【０１００】
ｇ）運転状態取得部
運転状態取得部１５ｇは、所定時間間隔で、空調機５０ａ，５０ｂ，・・・の運転状態に関する情報を取得し、取得した情報を上述の機器情報記憶領域１４ａに記憶する。また、運転状態取得部１５ｇは、取得した情報を遠隔管理サーバ２０に送信する。
【０１０１】
（４−４）処理の流れ
次に、図１４を参照して、コントローラ１０に省エネレベルが入力された際の処理の流れを説明する。
【０１０２】
ステップＳ１０１において、省エネレベル受付部１５ａにより省エネレベルの入力が受け付けられたと判断されると、ステップＳ１０２に進み、入力された内容が第１スケジュールまたは第２スケジュールとして実行スケジュール記憶領域１４ｆに記憶される。その後、ステップＳ１０３に進み、実行スケジュール記憶領域１４ｆに記憶された実行スケジュールに基づいて制御指令が決定される。その後、ステップＳ１０４に進み、制御指令が空調機５０ａ，５０ｂ，・・・に送信される。
【０１０３】
＜特徴＞
（１）
上記実施形態に係る設備機器管理システム１０１は、店舗管理システム１００に含まれるシステムである。店舗管理システム１００では、本部３が複数の店舗１ａ，１ｂ，・・・を統括管理するために、各店舗１ａ，１ｂ，・・・に対して運用ルールを設定する。当該運用ルールは、各店舗１ａ，１ｂ，・・・の規模や、各店舗１ａ，１ｂ，・・・に設置された空調機５０，５０，・・・等、各店舗１ａ，１ｂ，・・・の基本的な情報に応じて設定されるルールである。当該運用ルールは、遠隔管理サーバ２０から定期的に各店舗１ａ，１ｂ，・・・に送信され、各店舗１ａ，１ｂ，・・・では、当該運用ルールに基づいて、空調機５０，５０，・・・の制御を行う。
【０１０４】
ところで、本部３が設定する運用ルールは、各店舗１ａ，１ｂ，・・・の基本的な状況に応じて決定されているため、常に最適な空調環境を提供できるルールであるとは限らない。これは、店舗１ａ，１ｂ，・・・内の最適な空調環境が、顧客の数や従業員の数等によっても変動するためである。したがって、各店舗１ａ，１ｂ，・・・では、店舗１ａ，１ｂ，・・・の空調管理者もしくはユーザが、コントローラ１０，１０，・・・を用いて、空調機５０，５０，・・・の制御内容を適宜変更できるようになっている。
【０１０５】
一方、近年、消費電力の削減が一層求められている。そのため、各店舗１ａ，１ｂ，・・・で制御内容を変更する場合にも、各店舗１ａ，１ｂ，・・・の空調管理者もしくはユーザは、消費電力量を常に意識する必要がある。また、店舗内は、厨房、客席等の複数のゾーンに分けられているが、各ゾーンに適した空調制御は異なり、消費電力量を考慮しつつ各ゾーンに適した空調制御を設定するのは煩雑である。
【０１０６】
本発明では、各店舗１ａ，１ｂ，・・・において、運用ルールとは異なる設定を行う際、空調管理者もしくはユーザが、任意の省エネレベルを、操作ボタンまたはタッチパネルで選択するだけで、空調機５０ａ，５０ｂ，・・・が設置されたゾーンに適したコマンドが決定される。これにより、煩雑な作業を解消することができる。また、各店舗１ａ，１ｂ，・・・で独自の省エネルールを容易に設定することができる。
【０１０７】
（２）
また、上記実施形態に係るコントローラ１０，１０，・・・は、空調機５０ａ，５０ｂ，・・・が設置されたゾーンに加えて、各ゾーンに設置された空調機の種類を考慮したコマンドを決定する。これにより、複雑な操作を行うことなく、効率よく設定を変更することができる。
【０１０８】
（３）
また、上記実施形態に係るコントローラ１０，１０，・・・は、省エネレベル記憶領域１４ｄに複数の省エネレベルを記憶している。複数の省エネレベルには、空調機５０ａ，５０ｂ，・・・の負荷を減少させる省エネルギー制御レベルと、空調機の負荷を増加させる増エネルギー制御レベルとが含まれる。したがって、空調管理者またはユーザは、空調対象空間で消費される電力量を調整することができる。
【０１０９】
また、コントローラ１０，１０，・・・は、省エネレベルの実行スケジュールを記憶させる実行スケジュール記憶領域１４ｆを有している。これにより、所定期間にわたる消費電力量を容易に調整することができる。
【０１１０】
（４）
さらに、上記実施形態に係るコントローラ１０，１０，・・・では、適正判定部１５ｄによって、消費電力値の目標値と、実際の消費電力値の積算値とが比較され、現在の設定の適否が判定される。また、現在の設定が適当でないと判断された場合には、制御指令決定部１５ｅによって、使用可能な電力値が自動計算され、その後、適正な省エネレベルが決定される。これにより、目標値に基づいた適切な制御を自動的に行うことができる。
【０１１１】
（５）
さらに、上記実施形態に係るコントローラ１０，１０，・・・では、さらに、警告信号の警告レベルを考慮した省エネレベルが決定される。これにより、各店舗１ａ，１ｂ，・・・では、電力会社との契約によって定められた消費電力量の最大値を超えないような省エネレベルが自動的に設定できる。
【０１１２】
〈変形例〉
（１）
上記実施形態では、店舗１ａ，１ｂ，・・・として、外食店舗を挙げて説明したが、当該店舗１ａ，１ｂ，・・・は、外食店舗に限られるものではない。例えば、オフィスビルにおけるサーバルームとその他の部屋のように、空調対象空間ＯＡの機能によって区分けされた複数のゾーンに設置された複数の空調機５０ａ，５０ｂ，・・・を一括して制御する場合に採用することができる。
【０１１３】
（２）
上記実施形態において、コントローラ１０の表示部１２に、予め各省エネレベルを選んだ場合に得られる効果が示されるように設計されていてもよい。これにより、より適切な制御を意識的に選択することができる。
【０１１４】
（３）
上記実施形態では、適正判定部１５ｄによる判定結果に応じて、制御指令決定部１５ｅが、使用可能な電力値を自動計算し、決定された適正な省エネレベルに基づいた制御指令が生成されたが、上記適正判定部１５ｄによる判定は、空調管理者もしくはユーザが目視により行ってもよい。
【０１１５】
（４）
上記実施形態に係る設備機器管理システム１０１では、コントローラ１０を用いて、設備機器としての空調機５０ａ，５０ｂ，・・・を制御したが、空調機５０ａ，５０ｂ，・・・に代えて、または、空調機５０ａ，５０ｂ，・・・と共に他の設備機器を制御してもよい。他の設備機器には、例えば、照明、換気扇、給湯器等の設備機器が含まれる。この場合も上記実施形態と同様に、設備機器をゾーンおよび設備機器の種類を考慮して制御できるように各種情報を記憶部に記憶させておく。各種情報とは、例えば、空間に設置されている設備機器の種類に関する情報、各種類に属する設備機器に関する情報、各設備機器が設置されているゾーンに関する情報、設備機器の種類別の省エネレベルの制御内容等を記憶させておく。これにより、複雑な操作を行うことなく、各ゾーンに設置された設備機器の種類を考慮した省エネ制御を行うことができる。また、これにより、各店舗１ａ，１ｂ，・・・において効果的に省エネを実現することができる。
【０１１６】
また、省エネレベルは、設備機器の性質により、設備機器の運転または設備機器の停止の二つのレベルとして採用してもよい。これにより、設備機器が設置されたゾーンに応じて、設備機器の運転／停止を決定することが可能になり、利用者に与える影響を考慮して省エネを実現することができる。
【産業上の利用可能性】
【０１１７】
本発明は、設定作業の煩雑さを解消する設備機器制御装置として有用である。
【符号の説明】
【０１１８】
１ａ，１ｂ，・・・  店舗
２  遠隔管理センター
３  本部
１０，１０，・・・  コントローラ（設備機器制御装置）
２０  遠隔管理サーバ
３０  管理端末
５０，５０，５０ａ，５０ｂ，・・・  空調機（設備機器）
１００  店舗管理システム
１０１  設備機器管理システム
【先行技術文献】
【特許文献】
【０１１９】
【特許文献１】特開２００７−１６２９８２号公報
【図１】
2011106698.tif 000003
【図２Ａ】
2011106698.tif 000004
【図２Ｂ】
2011106698.tif 000005
【図２Ｃ】
2011106698.tif 000006
【図３】
2011106698.tif 000007
【図４】
2011106698.tif 000008
【図５】
2011106698.tif 000009
【図６】
2011106698.tif 000010
【図７】
2011106698.tif 000011
【図８】
2011106698.tif 000012
【図９】
2011106698.tif 000013
【図１０】
2011106698.tif 000014
【図１１】
2011106698.tif 000015
【図１２】
2011106698.tif 000016
【図１３】
2011106698.tif 000017
【図１４】
2011106698.tif 000018